(57)【要約】【課題】外枠に水平方向に出し入れされ、食器類の出し入れをする開口が上側に設けられている食器洗い乾燥機において、容易に洗浄槽と内蓋を閉鎖させ、洗浄水が漏れるのを防止する食器洗い乾燥機を提供する。【解決手段】外枠１に水平方向に出し入れされ、食器類の出し入れをする開口４が上側に設けられている洗浄槽２と、前記外枠１の内側上方に設けられ、前記開口４を閉鎖する内蓋６と、前記外枠１の側面上方に設けられ回転軸１１に回動可能に支持された回転レバー１０と、前記回転軸１１から一定距離離れ、かつ前記内蓋６の縁部１３より上方に位置して前記回転レバー１０に設けられたローラー１２とを備え、前記回転レバー１０の回動によりローラー１２が円軌道で移動しながら前記内蓋６の縁部１３を押すことで内蓋６を昇降させる。【選択図】図４
2007215886.tif 000002
【特許請求の範囲】
【請求項１】
外枠に水平方向に出し入れされ、食器類の出し入れをする開口が上側に設けられている洗浄槽と、前記外枠の内側上方に設けられ、前記開口を閉鎖する内蓋と、前記外枠の側面上方に設けられ回転軸に回動可能に支持された回転レバーと、前記回転軸から一定距離離れ、かつ前記内蓋の縁部より上方に位置して前記回転レバーに設けられたローラーとを備え、前記回転レバーの回動によりローラーが円軌道で移動しながら前記内蓋の縁部を押すことで内蓋を昇降させることを特徴とする食器洗い乾燥機。
【請求項２】
前記回転レバーを回動し、ローラーが最下点または最下点を越えた位置で回転レバーを停止させ、かつ保持させて前記内蓋を押し下げた状態を保持することを特徴とする請求項１記載の食器洗い乾燥機。
【請求項３】
前記内蓋の縁部上方に保持板を設け、前記ローラーは保持板の下方でかつ内蓋の縁部上方に設けられ、前記ローラーが前記保持板を押し上げることで内蓋を上昇させることを特徴とする請求項１記載の食器洗い乾燥機。
【請求項４】
前記内蓋の昇降動作範囲に対して、前記回転レバーは規定角度の範囲で往復動作することを特徴とする請求項１記載の食器洗い乾燥機。
【請求項５】
前記回転レバーを前記内蓋の左右両側面に複数個設け、かつ左右両側面に駆動アームを設け、この駆動アームに前記回転レバーを夫々連結し、かつ前記駆動アームを同期させるため左右連結アームにより前記駆動アームを結合したことを特徴とする請求項１記載の食器洗い乾燥機。
【請求項６】
前記駆動アームは前記回転レバーと同期した円軌道を描きながら動作することを特徴とする請求項５記載の食器洗い乾燥機。
【請求項７】
前記左右連結アームに前記外枠の左右側面と固定した駆動軸を設け、かつ駆動軸下方にはモータカムを有する駆動モータを設け、前記左右連結アームと前記モータカムは上下連結アームにより連結されたことを特徴とする請求項５記載の食器洗い乾燥機。
【請求項８】
前記駆動モータの回転動作により前記モータカムと前記上下連結アームの結合部が描く回転軌道の直径は、前記回転レバーの稼動距離と等しくなるようにしたことを特徴とする請求項７記載の食器洗い乾燥機。
【請求項９】
駆動軸を有する前記左右連結アームは、上下方向に規定角度の範囲で往復動作を行い、かつ往復動作は前記回転レバーの稼動距離及び稼動角度と等しくなるように設けたことを特徴とする請求項７記載の食器洗い乾燥機。
【請求項１０】
前記内蓋の上昇動作時の前記左右連結アームの回転方向は、その下方に位置する前記駆動モータが回転する方向と同一方向としたことを特徴とする請求項７記載の食器洗い乾燥機。
【請求項１１】
前記モータカムが上死点となる位置において、モータカムと前記上下連結アームが一直線上になり、かつ前記回転レバーに設けたローラーが最下点または最下点を越えた位置となり、内蓋が押し下げられた状態となることを特徴とする請求項７記載の食器洗い乾燥機。
【請求項１２】
前記モータカムが下死点となる位置において、前記モータカムと前記上下連結アームが一直線上に重なり、かつ前記回転レバーに設けたローラーが前記保持板を押し上げて内蓋が開放された状態となることを特徴とする請求項７記載の食器洗い乾燥機。
【請求項１３】
前記内蓋の左右方向への移動を規制しながら上下移動を案内する上下移動案内手段を設けたことを特徴とする請求項１，請求項５，請求項７記載の食器洗い乾燥機。
【請求項１４】
外枠に水平方向に出し入れされ、食器類の出し入れをする開口が上側に設けられている洗浄槽と、前記外枠の内側上方に設けられ、前記開口を閉鎖する内蓋とを有し、前記内蓋を上下に昇降させる構成の食器洗い乾燥機において、前記内蓋または前記洗浄槽に凸部を設けるとともに、前記凸部と対応する凹部を前記洗浄槽または内蓋に設け、内蓋下降時に前記凸部と凹部により内蓋と洗浄槽が係合することを特徴とする食器洗い乾燥機。
【請求項１５】
外枠に水平方向に出し入れされ、食器類の出し入れをする開口が上側に設けられている洗浄槽と、前記外枠の内側上方に設けられ、前記開口を閉鎖する内蓋とを有し、前記内蓋を上下に昇降させる構成の食器洗い乾燥機において、前記開口の周縁と前記内蓋との間に介在される水密シールを有することを特徴とする食器洗い乾燥機。
【発明の詳細な説明】
【技術分野】
【０００１】
本発明は、食器等を洗浄して乾燥する食器洗い乾燥機に関するものである。
【背景技術】
【０００２】
従来のこの種の食器洗い乾燥機は、枠体内に進退可能に設置した上方開放の洗浄槽を該枠体内に押し入れた状態で、シール天板と該洗浄槽の上端との間に位置する中空パッキングにエアーポンプで給気して該中空パッキングを膨らませて、該洗浄槽とシール天板の間をシールすることにより洗浄槽との水密を保ち洗浄水が漏れないようにして洗浄している（例えば、特許文献１参照）。
【０００３】
【特許文献１】特開２００３−１８０６０５号公報
【発明の開示】
【発明が解決しようとする課題】
【０００４】
しかしながら、上記の従来技術において、洗浄槽と内蓋との水封は中空の水密シールを膨張させるエアーポンプを必要とするが、中空の水密シールは、膨張や収縮を繰り返すため、耐久性や気密性に優れた水密シールを用いるので高価になる。
【０００５】
さらに、洗浄中や、運転中は洗浄槽が引き出せないようにすること(チャイルドロック)が必要であるから、この間は中空の水密シールを一定圧力で保持する必要があり、常に圧力を検知しながら水密性を保持しつづけなければならないため、構成が複雑で高価になる。
【０００６】
本発明は、上記の問題に鑑み、中空の水密シール，エアーポンプ，圧力検知装置を用いることなく、簡単で安価に水密のシールができる食器洗い乾燥機を提供することを目的とする。
【課題を解決するための手段】
【０００７】
本発明は上記の問題を解決するためになされたものであり、請求項１では外枠に水平方向に出し入れされ、食器類の出し入れをする開口が上側に設けられている洗浄槽と、前記外枠の内側上方に設けられ、前記開口を閉鎖する内蓋と、前記外枠の側面上方に設けられ回転軸に回動可能に支持された回転レバーと、前記回転軸から一定距離離れ、かつ前記内蓋の縁部より上方に位置して前記回転レバーに設けられたローラーとを備え、前記回転レバーの回動によりローラーが円軌道で移動しながら前記内蓋の縁部を押すことで内蓋を昇降させるものである。
【０００８】
また、請求項２では前記回転レバーを回動し、ローラーが最下点または最下点を越えた位置で回転レバーを停止させ、かつ保持させて前記内蓋を押し下げた状態を保持するものである。
【０００９】
また、請求項３では前記内蓋の縁部上方に保持板を設け、前記ローラーは保持板の下方でかつ内蓋の縁部上方に設けられ、前記ローラーが前記保持板を押し上げることで内蓋を上昇させるものである。
【００１０】
また、請求項４では前記内蓋の昇降動作範囲に対して、前記回転レバーは規定角度の範囲で往復動作するものである。
【００１１】
また、請求項５では前記回転レバーを前記内蓋の左右両側面に複数個設け、かつ左右両側面に駆動アームを設け、この駆動アームに前記回転レバーを夫々連結し、かつ前記駆動アームを同期させるため左右連結アームにより前記駆動アームを結合したものである。
【００１２】
また、請求項６では前記駆動アームは前記回転レバーと同期した円軌道を描きながら動作するものである。
【００１３】
また、請求項７では前記左右連結アームに前記外枠の左右側面と固定した駆動軸を設け、かつ駆動軸下方にはモータカムを有する駆動モータを設け、前記左右連結アームと前記モータカムは上下連結アームにより連結されたものである。
【００１４】
また、請求項８では前記駆動モータの回転動作により前記モータカムと前記上下連結アームの結合部が描く回転軌道の直径は、前記回転レバーの稼動距離と等しくなるようにしたものである。
【００１５】
また、請求項９では駆動軸を有する前記左右連結アームは、上下方向に規定角度の範囲で往復動作を行い、かつ往復動作は前記回転レバーの稼動距離及び稼動角度と等しくなるように設けたものである。
【００１６】
また、請求項１０では前記内蓋の上昇動作時の前記左右連結アームの回転方向は、その下方に位置する前記駆動モータが回転する方向と同一方向としたものである。
【００１７】
また、請求項１１では前記モータカムが上死点となる位置において、モータカムと前記上下連結アームが一直線上になり、かつ前記回転レバーに設けたローラーが最下点または最下点を越えた位置となり、内蓋が押し下げられた状態となるものである。
【００１８】
また、請求項１２では前記モータカムが下死点となる位置において、前記モータカムと前記上下連結アームが一直線上に重なり、かつ前記回転レバーに設けたローラーが前記保持板を押し上げて内蓋が開放された状態となるものである。
【００１９】
また、請求項１３では前記内蓋の左右方向への移動を規制しながら上下移動を案内する上下移動案内手段を設けたものである。
【００２０】
また、請求項１４では外枠に水平方向に出し入れされ、食器類の出し入れをする開口が上側に設けられている洗浄槽と、前記外枠の内側上方に設けられ、前記開口を閉鎖する内蓋とを有し、前記内蓋を上下に昇降させる構成の食器洗い乾燥機において、前記内蓋または前記洗浄槽に凸部を設けるとともに、前記凸部と対応する凹部を前記洗浄槽または内蓋に設け、内蓋下降時に前記凸部と凹部により内蓋と洗浄槽が係合するものである。
【００２１】
また、請求項１５では外枠に水平方向に出し入れされ、食器類の出し入れをする開口が上側に設けられている洗浄槽と、前記外枠の内側上方に設けられ、前記開口を閉鎖する内蓋とを有し、前記内蓋を上下に昇降させる構成の食器洗い乾燥機において、前記開口の周縁と前記内蓋との間に介在される水密シールを有するものである。
【発明の効果】
【００２２】
本発明の食器洗い乾燥器は、回転レバーの回動により内蓋を下降させて洗浄槽に突き当て、洗浄槽の開口を閉鎖するので、膨張／収縮する中空の水密シールや、エアーポンプ，圧力検知装置等が不要になるため、構造が簡単で安価な食器洗い乾燥機を提供することができる。
【発明を実施するための最良の形態】
【００２３】
以下、本発明の一実施例を図１〜図１０を参照して説明する。
【００２４】
外枠１に洗浄槽２が、水平方向に出し入れ自在に収納される。洗浄槽２は外枠１の内底両側に設けた横行移動レール３に横行移動自在に支持される。
【００２５】
洗浄槽２は食器類が出し入れされる開口４を上側に有する。洗浄槽２の前面に設けられる前側パネル５には洗い乾燥運転を操作する操作ボタン２３、食器洗い乾燥機の運転を制御する制御手段（図示せず）等が設けられる。
【００２６】
外枠１の内側上方には内蓋６を有する。内蓋６は下側に環状に設けた水密シール７を有し、洗浄槽２に合わさると、開口４の周縁と内蓋６との間に介在された水密シール７により開口４を閉鎖する。
【００２７】
内蓋６は、内蓋６の両側面に設けた取付け金具８を介して上下移動案内手段９に支持されている。上下移動案内手段９は外枠１の内側に支持されており、内蓋６が規定した範囲内での上下方向のみ移動可能にしている。
【００２８】
外枠１の内側上方には複数の回転レバー１０を有する。回転レバー１０は外枠１の左右側面の内側に支持された回転軸１１に回動可能に保持されている。
【００２９】
回転レバー１０は回転軸１１から一定距離離れた位置にローラー１２を有し、回転レバー１０が回転軸１１を中心にした回動によりローラー１２は円軌道を描きながら移動し、内蓋６の縁部を押すことで内蓋６を昇降させる構成とする。
【００３０】
内蓋６の縁部１３上方には保持板１４を有しており、ローラー１２は内蓋６の縁部１３と保持板１４の間に設けている。また、回転軸１１は内蓋６の上方に位置するように設けている。
【００３１】
内蓋６は回転レバー１０の回動によりローラー１２と接触する。接触しながらローラー１２がなお移動することで内蓋６は移動する。その時、内蓋６は上下移動案内手段９に沿って左右の動きを規制されながら上下にのみ移動する。
【００３２】
水封する際は、回転レバー１０を回動させて、ローラー１２を内蓋６の縁部１３にあてながら移動させ、最下点また最下点を越えた位置で回転レバー１０を停止し、保持させる。これにより内蓋６が洗浄槽２の開口４を閉鎖した状態を保持することで、水密を保つことができる。
【００３３】
内蓋６を上昇させる際は、回転レバー１０を回動させて、ローラー１２を保持板１４にあてながら移動させ、最下点から９０度回った位置にて停止し、保持させる。これにより内蓋６が洗浄槽２の開口４を開放した状態を保持することで、洗浄槽２の引き出しを行うことができる。
【００３４】
回転レバー１０は通常ローラー１２の最下点による水封状態の位置か、最下点から９０度移動した開放状態の位置かのいずれかの位置で保持されている。そのため内蓋６の上下動作が行われるのはこの間の範囲であり、回転レバー１０は９０度の範囲を往復動作している。
【００３５】
回転レバー１０は前述した如く外枠１の左右の両側面にそれぞれ複数個有している。これらの動作を一致させるため、下記のような構成とする。
【００３６】
左右側面に駆動アーム１５を設けて、複数の回転レバー１０を左右の駆動アーム１５に連結し、かつ左右の駆動アーム１５を後方にて左右連結アーム１６により結合することで複数の回転レバー１０の動作を全て一致させる構成とする。
【００３７】
したがって、駆動アーム１５の動作は回転レバー１０と同期した円軌道を描きながら動作する。
【００３８】
回転レバー１０を駆動する駆動手段としては下記のような構成とする。
【００３９】
左右連結アーム１６は外枠１の左右側面の内側に支持された駆動軸１７に回動可能に保持されている。
【００４０】
左右連結アーム１６下方には駆動モータ１８を設け、かつ駆動モータ１８にはモータカム１９が設けられている。左右連結アーム１６とモータカム１９は上下連結アーム２０によりリンクされた構成とする。
【００４１】
モータカム１９は略楕円形に設けられ、駆動モータ１８の回転軸と上下連結アーム２０の結合部における回転軌道の直径ｘ１が回転レバー１０の稼動距離ｘ２と等しくなるように設けられている。
【００４２】
左右連結アーム１６の動作は上下方向とし、回転レバー１０の稼動距離ｘ２と等しくかつ９０度の範囲で往復動作を行い、かつ左右連結アーム１６の往復動作は前記回転レバー１０の稼動距離ｘ２及び稼動角度９０度と等しくなるように設けられている。
【００４３】
モータカム１９の動作範囲は駆動モータ１８と同様で一方向のみ３６０度回転動作を行う。
【００４４】
水封する際は、モータカム１９が上死点となる位置に停止し、保持される。その際、リンク動作により、上下連結アーム２０はモータカム１９と一直線上に直列して保持される。また、回転レバー１０に設けたローラー１２は最下点または最下点を越えた位置で停止し、保持した状態となり、内蓋６が洗浄槽２の開口４を閉鎖した状態を保持することで、水密を保つことができる。
【００４５】
内蓋６を上昇させる際は、モータカム１９が下死点となる位置に停止し、保持される。その際、リンク動作により、上下連結アーム２０はモータカム１９と一直線上に重なり保持される。また、回転レバー１０に設けたローラー１２は保持板１４を押し上げて内蓋６が洗浄槽２の開口４を開放した状態を保持することで、洗浄槽２の引き出しを行うことができる。
【００４６】
このように内蓋６の昇降動作における各部の動作範囲は回転レバー１０及び左右連結アーム１６が９０度回転の往復動作に対して、モータカム１９は１８０度ごとの一方向回転動作を行い、これらの動作をリンクさせ、上死点，下死点での保持を行うことで、より効率的に力を加えて内蓋６を保持することができる。
【００４７】
また、駆動モータ１８は内蓋６の上昇（開放）動作時に左右連結アーム１６が動作する回転方向と同一方向に回転するように設けている。これにより水封状態において洗浄層２を引き出そうとした際、内蓋６を持ち上げる動作、すなわち回転レバー１０が回動する動作（右回転）は、左右連結アーム１６に伝わり、同一方向（右回転）に回動しようとし、上下連結アーム２０を反対方向（左回転）に押そうとする。そのときモータカム１９は上死点に位置し、上下連結アーム２０と同様に左回転方向の力を受ける。しかし駆動モータ１８は同一方向である右回転のみ回転可能であり、反対方向には回転できずロックする。したがって内蓋６は容易に上昇できないので摩擦抵抗により容易に洗浄槽２を引き出すことができない。なお、左右連結アーム１６が右回転方向に回動しようとしたとき、上下連結アーム２０を介してモータカム１９に力がかかり駆動モータ１８が右回転方向の力を受けてしまうと駆動モータ１８が回転してしまい、内蓋６が上昇することになるので、この場合はモータカム１９が上死点に一歩手前の位置に停止させるようにすれば確実に駆動モータ１８に左回転方向の力がかかるので回転できずにロックされ、内蓋６の上昇を防ぐことができる。
【００４８】
また、洗浄槽２に凸部２１を設け、内蓋６が下降時（水封時）に洗浄槽２の凸部２１と対応する位置の内蓋６に凹部２２を設け、この洗浄槽２の凸部２１と内蓋６の凹部２２が係合することで、内蓋６が下降時（水封時）に洗浄槽２を引き出そうとした際のストッパーとすることができ、運転中は洗浄槽２が引き出せなくすることができる。なお、洗浄槽２側に凹部を、対応する内蓋６側に凸部を設けるようにしても良い。
【００４９】
上記の様な構成とすることで、高価なエアーポンプや圧力検知装置を用いることなく、構造が簡単で安価に水密のシールを行うことができる食器洗い乾燥機を提供することができる。
【図面の簡単な説明】
【００５０】
【図１】本発明の一実施例を示す食器洗い乾燥機の斜視図である。
【図２】同じく正面から見た縦断面図である。
【図３】同じく水密シールの関連構成を示す縦断面図である。
【図４】同じく外装を除いた内部の斜視図である。
【図５】同じく回転レバー部の斜視図である。
【図６】同じく内蓋下降動作時の回転レバー部の縦断面図である。
【図７】同じく内蓋上昇動作時の回転レバー部の縦断面図である。
【図８】同じく回転レバーの回動範囲を示す側面図である。
【図９】同じく駆動アームによるリンク機構部を示す側面図である。
【図１０】同じく駆動モータによるリンク機構の動作を説明する側面図である。
【符号の説明】
【００５１】
１…外枠、２…洗浄槽、４…開口、６…内蓋、７…水密シール、９…上下移動案内手段、１０…回転レバー、１１…回転軸、１２…ローラー、１３…縁部、１４…保持板、１５  駆動アーム、１６…左右連結アーム、１７…駆動軸、１８…駆動モータ、１９…モータカム、２０…上下連結アーム、２１…凸部、２２…凹部。
【図１】
2007215886.tif 000003
【図２】
2007215886.tif 000004
【図３】
2007215886.tif 000005
【図４】
2007215886.tif 000006
【図５】
2007215886.tif 000007
【図６】
2007215886.tif 000008
【図７】
2007215886.tif 000009
【図８】
2007215886.tif 000010
【図９】
2007215886.tif 000011
【図１０】
2007215886.tif 000012